(57)【要約】【課題】糸のトラバース方向の振れを抑え、解舒撚りを生じることなく糸を供給することのできる糸供給装置を提供する【解決手段】トラバース方向（原糸軸芯の軸方向）の両側から扁平糸１に常時接触するガイド部１７ａ、１７ｂを設けることで、扁平糸１のトラバース方向の振れを抑え、解舒撚りの発生を防止することができる。【選択図】図２
2008156104.tif 000002
【特許請求の範囲】
【請求項１】
回転可能な原糸軸芯に糸をトラバースして巻いて成る原糸供給体を備え、この原糸供給体から糸を送り出す糸供給装置において、
原糸供給体の糸送り方向先行側に、原糸軸芯の軸方向と直交する中心軸を有し、原糸軸芯の軸方向両側から糸を当接状態で挟む複数のガイド部を設けたことを特徴とする糸供給装置。
【請求項２】
前記複数のガイド部を糸送り方向で離隔して設けたことを特徴とする請求項１記載の糸供給装置。
【請求項３】
原糸供給体とガイド部との間に、原糸供給体から送り出した糸に接触して糸送り方向を曲げる案内部を設け、この案内部が円弧状の母線を有し、且つ案内部と糸との接触点において母線と糸の送り方向とが常に直交することを特徴とする請求項１記載の糸供給装置。
【請求項４】
原糸供給体と案内部との間に、原糸供給体から送り出した糸と接触することにより、原糸軸芯の軸方向と直交する平面において常に一定角度で案内部へ糸を供給する補助案内部を設けたことを特徴とする請求項３記載の糸供給装置。
【請求項５】
扁平した糸を使用する場合であって、ガイド部の糸送り先行側に、ガイド部の軸方向に対して傾斜した中心軸を有する副ガイド部を設けたことを特徴とする請求項１記載の糸供給装置。
【請求項６】
副ガイド部が糸送り方向で離隔した複数箇所に設けられ、各副ガイド部の中心軸とガイド部の中心軸との間の角度を、ガイド部から離隔するにつれて段階的に大きくしたことを特徴とする請求項５記載の糸供給装置。
【請求項７】
原糸供給体から解舒した糸に風圧をかけてＵ字状にプールする貯留部を備えた請求項１記載の糸供給装置。
【発明の詳細な説明】
【技術分野】
【０００１】
本発明は、撚りを生じない状態で織機等へ糸を供給するための糸供給装置に関する。
【背景技術】
【０００２】
例えば、特許文献１に示されている糸供給装置は、駆動手段により回転可能な原糸軸芯に原糸を軸方向で往復（トラバース）させて巻いて成る原糸供給体（巻玉）と、巻玉から送り出された糸をＵ字状にプールする貯留部と、貯留部の直前に設けられたガイドスリットとを備える。このガイドスリットにより、巻玉から引き出された糸のトラバース方向の振れを規制している。
【０００３】
【特許文献１】特開２０００−２７３７４５号公報
【発明の開示】
【発明が解決しようとする課題】
【０００４】
しかしながら、上記のようなガイドスリットでは、糸のトラバース方向の振れがスリット幅の分だけ許容されるため、振れを完全に抑えることはできない。この糸のトラバース方向の振れにより、糸が捩れて撚りが生じる、いわゆる解舒撚りが発生する恐れがある。このように解舒撚りが生じたままの糸を、例えばヨコ糸として織機に供給すれば、糸幅が不均一なヨコ糸が織物に織り込まれるため、製品の仕上がりや強度に不具合を生じる恐れがある。
【０００５】
本発明の課題は、糸のトラバース方向の振れを完全に抑えて、解舒撚りの発生を防止することのできる糸供給装置を提供することにある。
【課題を解決するための手段】
【０００６】
前記課題を解決するために、本発明は、回転可能な原糸軸芯に糸をトラバースして巻いて成る原糸供給体を備え、この原糸供給体から糸を送り出す糸供給装置において、原糸供給体の糸送り方向先行側に、原糸軸芯の軸方向と直交する中心軸を有し、原糸軸芯の軸方向両側から糸を当接状態で挟む複数のガイド部を設けたことを特徴とする。
【０００７】
このように、本発明の糸供給装置では、原糸軸芯の軸方向、すなわち原糸供給体から引き出された糸が振れる方向（以下、トラバース方向と称す）と直交する中心軸を有する複数のガイド部を設ける。このガイド部で原糸供給体から引き出された糸をトラバース方向両側から当接状態で挟むことにより、原糸供給体から解舒された糸のトラバース方向の振れを完全に抑えることができ、解舒撚りの発生を防止することができる。
【０００８】
この複数のガイド部を糸送り方向で離隔して設けると、各ガイド部の一部を糸送り方向で重ねて配置することができる。これにより、糸のトラバース方向両側から確実にガイド部を当接させることができるため、糸の振れをより確実に抑えることができる。
【０００９】
この糸供給装置では、糸の解舒工程において糸の張力を一定に保つことが重要となる。糸の張力が瞬間的に緩和されると、糸に捩れが生じる恐れがあるためである。そこで、原糸供給体とガイド部との間に案内部を設け、この案内部を糸と接触させて糸送り方向を曲げて糸を送ると、糸の張力を一定に保つことが可能となる。
【００１０】
ところで、図８に示すように、通常原糸１は原糸軸芯１１ａと直交する方向に対して角度（この角度を綾角度と称し、図８にθで示す）をもって巻かれる。このように巻かれた糸を原糸軸芯と直交する方向に引き出すと糸に捩れが生じる恐れがあるため、綾角度θの方向に糸を引き出す必要がある。従って、図９に示すように、綾角度θの方向から送り込まれた糸１が、案内部１６を介してガイド部１７へ向けて送り出すことになる。このとき、例えば図９、図１０に示すように、案内部１６の糸との接触面を円筒面状に形成すると、案内部１６の母線と糸送り方向とが直交しないため、糸１にダブつきが生じ（図１０にＸで示す）、糸に撚りが生じる恐れがある。そこで、この案内部が円弧状の母線を有し、且つ案内部と糸との接触点において母線と糸の送り方向とが常に直交するように母線の曲率を設定すると、糸の案内部上におけるダブつきを回避し、解舒撚りをより確実に防止することができる。
【００１１】
このような案内部を設けた場合、原糸供給体の原糸が減ると、トラバース方向と直交する平面上において、案内部への糸の供給角度が変わることがある。この角度が変わると、予め設定した案内部の母線形状では糸送り方向と直交させることができなくなるため、糸にダブつきが生じる恐れがある。そこで、原糸供給体と案内部との間に、原糸供給体から送り出した糸と接触することで、原糸軸芯の軸方向（トラバース方向）と直交する平面において常に一定角度で案内部へ糸を供給する補助案内部を設けることで、かかる不具合を回避することができる。
【００１２】
また、扁平した糸を使用する場合、前記複数のガイド部で糸をトラバース方向両側から挟むことにより糸の振れが抑えられると同時に、糸が原糸軸芯に巻かれた状態から９０°捩られることになる。例えば、後述する貯留部を備えた糸供給装置の場合、このように糸が捩られたままでは貯留部に供給する際に糸に撚りが生じる恐れがある。そこで、ガイド部の糸送り先行側に、ガイド部の軸方向に対して傾斜した中心軸を有する副ガイド部を設け、この副ガイド部に接触させながら糸を送ることにより、糸の捩れを戻すことができる。
【００１３】
例えば、このような副ガイド部として、ガイド部の中心軸と直行する中心軸を有する副ガイド部を、ガイド部の糸送り先行側の一箇所に設けた場合、これらの間で糸が急激に捩られるため、捩れが解消されない恐れがある。この点に鑑み、副ガイド部を糸送り方向で離隔した複数箇所に設け、各副ガイド部の中心軸とガイド部の中心軸との間の角度を、ガイド部から離隔するにつれて段階的に大きくすると、ガイド部で捩られた糸の捩れを段階的に元に戻すことができるため、確実に糸の捩れを解消することができる。
【００１４】
このような糸供給装置が、原糸供給体から解舒した糸を風圧をかけてＵ字状にプールする貯留部を備えると、例えば織機にヨコ糸を供給する場合、織機に供給される一定長さの糸を絡まりを防止しながらプールすることができるため、安定して織機にヨコ糸を供給することができる。
【発明の効果】
【００１５】
以上のように、本発明によると、糸のトラバース方向の振れを完全に抑え、解舒撚りを生じることなく糸を供給することのできる糸供給装置が得られる。
【発明を実施するための最良の形態】
【００１６】
以下、本発明の実施形態を図面に基づいて説明する。
【００１７】
本実施形態では、本発明に係る糸供給装置を織機にヨコ糸を供給するヨコ糸供給装置として使用する場合を示す。図１（ａ）に、本実施形態に係る糸供給装置１００の正面図（部分断面図）を示す。この糸供給装置１００は、解舒部１０と貯留部３０とを備え、解舒部１０で解舒した糸を貯留部３０に送り、ヨコ糸として織機に断続的に供給される所定の長さ分の糸を貯留部３０で貯留するものである。
【００１８】
解舒部１０は、原糸軸芯１１ａに原糸をトラバースして巻いて成る原糸供給体１１を備える。原糸軸芯１１ａに巻かれる糸のトラバース幅は特に限定されず、糸のサイズ等に応じて１μｍ〜１０００ｍｍの範囲で適宜設定することができる。この原糸供給体１１から送り出した糸を、補助案内部としての補助案内ローラ１５、案内部としての案内ローラ１６、ガイド部としてのガイドローラ１７ａ、１７ｂ、副ガイド部としての副ガイドローラ１８ａ、１８ｂ、１８ｃ、テンション装置１９、及び駆動ローラ２０を経て、貯留部３０に送り込む。扁平糸１は、図原糸軸芯１１ａは駆動部１４により正逆回転可能に駆動される。原糸供給体１１は、超音波センサ１２、及び原糸感知センサ１３で感知されている。尚、本実施形態では、糸として扁平糸１を使用した場合を示す。
【００１９】
超音波センサ１２は、ケバやホコリなどを無視できるセンサで、原糸軸芯１１ａに巻きつけられた扁平糸１（原糸）との距離を感知（測定）するものである。この感知した信号を、駆動部１４のサーボモータ及びブレーキ等（図示省略）にフイードバックして扁平糸１の供給量（原糸軸芯１１ａの回転数）を制御することで、安定した張力で扁平糸１を貯留部３０へ送り込む機能を果たしている。
【００２０】
原糸感知センサ１３は、扁平糸１及び原糸軸芯１１ａの色を識別することができる。原糸供給体１１の原糸が少なくなると、センサ１３がその色の変化を感知し、原糸が無くなる寸前に織機をストップさせる。これにより、貯留部３０に糸が吸引されることが防止され、原糸の補充をスムーズに行うことができる。
【００２１】
駆動部１４はモータ（図示省略）を有し、このモータで原糸軸芯１１ａを糸送り出し方向に積極的に回転駆動させる。この原糸軸芯１１ａの回転速度、すなわちモータの回転速度を、後述するテンション装置１９の信号を感知しながら制御することで、一定の張力を維持した状態で貯留部３０に糸を送込むことができる。尚、モータの制御方法は上記のように回転速度で制御する方法に限らず、モータの回転トルクで制御する方法、あるいは原糸軸芯にブレーキ力を発生させ、このブレーキ力の調整により糸の送り出し量を調節するブレーキ制御による方法等を採用することもできる。ブレーキ力を発生させる方法としては、例えば糸送り出し方向と逆方向に駆動を与える方法や、モータ以外のブレーキ装置を設ける方法等が挙げられる。
【００２２】
補助案内ローラ１５は、トラバース方向と平行な回転軸を有する円筒状ローラである。この補助案内ローラ１５を糸と接触させることにより、糸送り方向が曲げられる。これにより、原糸軸芯１１ａに巻かれた原糸の量が減った場合でも、トラバース方向と直交する平面（図１の紙面上）において案内ローラ１６へ糸を一定の角度で供給することができる。
【００２３】
案内ローラ１６は、トラバース方向と平行な回転軸を有し、この回転軸を中心に円弧状の母線を回転させてなる外周面１６ａを有する、いわゆる太鼓型ローラである（図２参照）。この案内ローラ１６の外周面１６ａが扁平糸１と接触することにより、原糸供給体から綾角度の方向で送り込まれた扁平糸１が、ガイドローラ１７ａ、１７ｂの方向へ送り出される。このとき、案内ローラ１６の外周面１６ａの形状は、原糸軸芯１１ａに巻かれた扁平糸１の綾角度、及び案内ローラ１６とガイド部１７ａとの距離等を考慮して、案内部１６と扁平糸１との各接触点において案内部１６の外周面１６ａの母線と糸送り方向とが常に直交するように設定される。これらにより、扁平糸１にダブつきが生じることなく安定して案内ローラ１６と接触することができるため、糸の解舒撚りを防止することができる。尚、本実施形態では、案内部として回転可能な案内ローラ１６を用いているが、これに限られない。例えば、図５に示すように、弓型に湾曲した固定式の案内部１６’を用いてもよい。これによると案内部の構造が簡略化できる一方で、糸との摩擦力が大きくなるため、摩擦によるケバ立ちや糸切れが懸念される場合は、前述の回転式の案内部を用いることが好ましい。あるいは、図示は省略するが、スイング機構により円筒部材をトラバース方向にスイングさせるスイング式の案内部を採用してもよい。
【００２４】
ガイドローラ１７ａ、１７ｂは、トラバース方向と直行する中心軸を有するローラからなる。この複数のガイドローラ１７ａ、１７ｂがトラバース方向両側から扁平糸１を当接状態で挟むことにより、扁平糸１のトラバース方向の振れを完全に抑えることができる。すなわち、図２に示すように、案内ローラ１６では扁平糸１にトラバース方向の振れが生じているが（図２に点線及び一点鎖線で示す）、ガイドローラ１７ａ、１７ｂで扁平糸１を挟み込むことにより、この振れを抑えている。また、本実施形態では、図２に示すように、ガイドローラ１７ａ、１７ｂを糸送り方向で離隔して設けている。これにより、ガイドローラ１７ａへの扁平糸１の進入方向に対してガイドローラ１７ａ、１７ｂの一部を重ねて配することができるため、確実に扁平糸１と当接させることができる。このようにガイドローラ１７ａ、１７ｂで扁平糸１を当接状態で挟み込むことにより、扁平糸１は、トラバース方向の振れが抑えられると同時に、原糸供給体１１から送り出された状態から９０°捩られる。尚、ガイドローラの配置数はこれに限らず、例えば図６に示すように、さらに糸送り先行側にガイドローラ１７ｃを設けても良い。これにより、扁平糸１のトラバース方向の振れをより確実に抑えることができる。あるいは、図７に示すように、ガイドローラ１７ａ及び１７ｂを扁平糸１を中心に対向させて配置し、これらで扁平糸１を挟み込む構成としてもよい。これによると、ガイド部の配置スペースをコンパクト化することができる。また、図２では、扁平糸１の捩れを理解しやすくするために、糸の扁平を誇張して示している。
【００２５】
ガイドローラ１７ａ、１７ｂの糸送り先行側には、ガイドローラ１７ａ、１７ｂの軸方向と異なる方向から糸に接触する副ガイドローラ１８ａ、１８ｂ、１８ｃが設けられる。本実施形態では、それぞれ１本のローラからなる副ガイドローラ１８ａ〜１８ｃが糸送り方向で互いに離隔した複数箇所に配される。これらの副ガイドローラ１８ａ〜１８ｃは、図３に示すように、ガイドローラ１７ａ、１７ｂによる糸の捩り方向（図３では反時計回り方向）と逆向きに傾斜させた中心軸を有する。具体的には、各副ガイドローラ１８ａ〜１８ｃの中心軸Ｌ１〜Ｌ３は、ガイドローラ１７ａ、１７ｂの軸方向（図３には、ガイドローラ１７ｂの軸方向をＬ０で示す）に対してそれぞれ１５°、４５°、７５°の角度を成す。すなわち、ガイドローラ１７ａ、１７ｂから離隔するにつれて、各副ガイドローラ１８ａ〜１８ｃの軸方向Ｌ１〜Ｌ３とガイドローラ１７ａ、１７ｂの軸方向Ｌ０との間の角度が、９０°へ向けて段階的に大きくなっている。各副ガイドローラ１８ａ〜１８ｃは、トラバース方向一方側から扁平糸１に接触するもの（副ガイドローラ１８ａ、１８ｃ）と、他方側から扁平糸１に接触するもの（副ガイドローラ１８ｂ）とを糸送り方向で交互に配している。
【００２６】
このような副ガイドローラ１８ａ〜１８ｃにより、ガイドローラ１７ａ、１７ｂで９０°捩られた扁平糸１の捩れを戻すことができる。また、上記のように、各副ガイドローラ１８ａ〜１８ｃの軸方向Ｌ１〜Ｌ３とガイドローラ１７ａ、１７ｂの軸方向Ｌ０との間の角度を段階的に大きくすることにより、扁平糸１の捩れを段階的に戻すことができるため、確実に糸の捩れを解消することができる。尚、本実施形態では、糸送り方向で最も先行側に配された副ガイドローラ１８ｃの軸方向Ｌ３とガイドローラ１７ａ、１７ｂの軸方向Ｌ０との間の角度が７５°に設定されているため、副ガイドローラ１８ｃを経た扁平糸１には１５°の捩れが残る。この捩れはさらに糸送り先行側のテンション装置１９で解消される。尚、扁平糸１の捩れを副ガイドローラで完全に解消するために、副ガイドローラ１８ｃとテンション装置１９との間に、ガイドローラ１７ａ、１７ｂの軸方向Ｌ０と直交する軸を有する副ガイドローラをさらに設けても良い。また、副ガイドローラの配設数は上記に限らず、さらに多く、例えば、副ガイドローラの軸方向とガイドローラの軸方向との間の角度を５°〜９０°間の５°刻みで設定した複数の副ガイドローラを設けてもよい。また、扁平糸の捩れを確実に解消するために、副ガイド部は最低３個以上設けることが望ましい。
【００２７】
こうして捩れが解消された扁平糸１は、テンション装置１９を経て、駆動ローラ２０及びプレスローラ２１により貯留部３０へ送り込まれる。テンション装置１９は、扁平糸１の張力を感知し、その情報を原糸軸芯１１ａの駆動部１４に伝達する。この信号を元に原糸供給体１１からの扁平糸１の送り出し量を制御することにより、常に一定の張力を保った状態で扁平糸１を貯留部３０に供給することができる。
【００２８】
駆動ローラ２０はモータ（図示省略）により回転駆動され、プレスローラ２１は駆動力を有さず自由に回転する。回転駆動させた駆動ローラ２０に、扁平糸１をプレスローラ２１で押し付けられることにより、扁平糸１が貯留部３０に送り込まれる。このとき、駆動ローラ２０及びプレスローラ２１の表面の材質は、扁平糸１を送り込むことのできる摩擦力が得られ、且つ扁平糸１にケバ立ちや糸切れが生じにくいものを使用することが望ましい。また、プレスローラ２１は、扁平糸１の材質等によりに加圧力を調整可能であることが望ましい。
【００２９】
解舒部１０を経た扁平糸１は、貯留部３０に送り込まれる。貯留部３０は、織機に送り込む扁平糸１をケーシング３１内でＵ字状に貯留するものである（図１（ａ）参照）。ケーシング３１は、図１（ａ）の正面図で示す幅寸法と比べて、図１（ｂ）の側面図で示す奥行き寸法がはるかに小さい扁平な形状を成し、前面部３１ａ、背面部３１ｂ、及び側面部３１ｃ、３１ｃで構成される。ケーシング３１の奥行き（図１の紙面に垂直な方向）は扁平糸１の幅に合わせて調整され、例えば１ｍｍ〜１００ｍｍの間で調整される。ケーシング３１の高さ（図１の上下方向）は製作される織物の幅（例えば５０ｍｍ〜１５００ｍｍ）に応じて調整される。
【００３０】
ケーシング３１内の空気は、ブロワー３５で吸引されて外部へ排出され（図１に白抜き矢印で示す）、これと同時に、ケーシング３１の上端開口部から空気がケーシング３１の内部に吸入される。これにより、ケーシング３１内でＵ字状の貯留された扁平糸１には常に下向きの風圧がかかるため、貯留時に糸が絡まる事態を回避すると共に、貯留する糸の長さを容易に管理することができる。尚、本実施形態ではブロワー３５を用いた吸引式の貯留部を示したが、これに限らず、例えばケーシングの上方から下方へ向けて空気を噴射することで糸に風圧を与えてＵ字状に貯留する噴射式の貯留部を採用してもよい。
【００３１】
ケーシング３１の下部にはバッファボックス３３が設けられる。このように、ケーシング３１の内部空間とブロワー３５との間に、バッファボックス３３によるバッファ空間を設けることにより、ケーシング３１内の空気を万遍なく吸引することができる。これに対し、ケーシング３１の下部に直接ブロワーを配置すると、ケーシング３１内の空気が局部的に吸引され、ケーシング３１内にプールされた糸が暴れて、糸に撚りが生じる恐れがある。
【００３２】
バッファボックス３３の内部には、集塵部３４が設けられる。この集塵部３４でケーシング３１内に浮遊したケバやホコリを集塵することにより、これらの塵がブロワー３５に吸引されたり外部へ排出されたりすることを防止している。
【００３３】
ケーシング３１の前面部３１ａ及び背面部３１ｂは、アルミ板等の金属板で形成される。前面部３１ａの任意箇所、例えば後述するセンサ３２ａ〜３２ｃと同じ高さの３箇所には、幅方向のスリット３１ａ２が形成される。このスリット３１ａ２に透明のアクリル板等をはめ込むことにより、内部の状態を観察することができる。ケーシング３１の内面、特に前面部３１ａの内面３１ａ１及び背面部３１ｂの内面３１ｂ１には、粗面加工（いわゆる梨地処理）施される。これにより、ケーシング３１内に浮遊したケバやホコリが、ケーシング３１の内面に静電気等により付着することを防止できる。
【００３４】
ケーシング３１内への扁平糸１の供給量は、ケーシング３１の側部に配置されたセンサ３２ａ、３２ｂ、３２ｃと、貯留部３０の入り口に配された駆動ローラ２０とが連携することにより制御される。具体的には、ケーシング３１内への扁平糸１の供給が不足し、上方に取付けられたセンサ３２ａが扁平糸１を感知しなくなると、駆動ローラ２０の回転速度が速くなり、ケーシング３１内への扁平糸１の供給スピードが速くなる。一方、ケーシング３１内への扁平糸１の供給が過剰になり、下方に取付けられたセンサ３２ｂが扁平糸１を感知すると、駆動ローラ２０の回転速度が遅くなり、ケーシング３１内への扁平糸１の供給スピードが遅くなる。それでもケーシング３１内への扁平糸１の供給が過剰であり、さらに下方に取付けられたセンサ３２ｃが扁平糸１を感知すると、駆動ローラ２０が停止する。尚、ここで使用されるセンサ３２ａ、３２ｂ、３２ｃは、ケーシング３１内の微弱な静電気やケバ、ほこり等により誤作動を起こさない程度の感度を有するものであることが好ましい。
【００３５】
こうしてケーシング３１内に貯留された扁平糸１は、貯留部３０の出口付近に設けられたローラ３６を介して織機に供給される。
【００３６】
本発明は、上記の実施形態に限られない。以下、本発明の他の実施形態を説明する。尚、以下の説明において、上記の実施形態と同様の機能・構成を有する箇所には同一の符号を付して説明を省略する。
【００３７】
図４に、本発明の他の実施形態に係る糸供給装置２００を示す。この糸供給装置２００は、貯留部３０を有さない点、及びテンション装置の構成が異なる点で、上記実施形態と構成を異にする。この糸供給装置２００のテンション装置４０は、テンション感知部４１と、テンションローラ４２と、テンションローラ４２の糸送り方向両側に段違いで設けられた補助ローラ４３及び４４とで構成される。この段違いで設けられた補助ローラ４３、テンションローラ４２、及び補助ローラ４４を介して蛇行して送られることにより扁平糸１に加わる張力を、テンションローラ４２を介してテンション感知部４１で感知する。
【００３８】
以上の実施形態では、各副ガイドローラ１８ａ、１８ｂ、１８ｃをそれぞれ１本のローラで構成しているが、これに限られず、例えば図７に示すガイドローラ１７ａ、１７ｂのように、２本のローラで扁平糸１を挟み込む構成としてもよい。
【００３９】
また、以上の実施形態では、ガイド部、副ガイド部、案内部、及び補助案内部として回転可能なローラを使用しているが、摩擦等の問題がなければ固定式のガイド部、副ガイド部、案内部及び補助案内部を使用してもよい。
【００４０】
また、以上の実施形態では、扁平糸を使用した場合を示しているが、他の種類の糸、例えば丸糸を使用した場合でも解舒撚りの防止効果が得られる。尚、原糸が原糸軸芯１１ａにテープ状、すなわちトラバースすることなく巻かれている場合、上記のガイド部や副ガイド部等は必要ないと考えられるが、これらを設けていても問題なく原糸を解舒することができる。従って、このような糸を用いる場合でも装置を交換することなく、本発明の糸供給装置を使用することができる。
【００４１】
また、以上の実施形態では、本発明に係る糸供給装置を織機にヨコ糸を供給するヨコ糸供給装置として使用した場合を示しているが、これに限らず、例えば、縦糸を供給する装置として使用することもできる。また、使用される織機の種類も限定されず、例えばレピア織機等の無杼織機に適用できる。あるいは、複数のフィラメントが集合されてなる繊維束を拡繊対称とする拡繊装置等として使用することもできる。
【図面の簡単な説明】
【００４２】
【図１】（ａ）は本発明に係る糸供給装置１００を示す正面図、（ｂ）は側面図である。
【図２】解舒部１０の一部を図１のＡ方向から見た側面図である。
【図３】解舒部１０の一部を図１のＢ方向から見た上面図である。
【図４】本発明の他の実施形態に係る糸供給装置２００の正面図である。
【図５】案内部の他の例を示す側面図である。
【図６】ガイド部の他の例を示す側面図である。
【図７】ガイド部の他の例を示す側面図である。
【図８】原糸供給体１１の拡大図である。
【図９】円筒状の案内部を使用した場合を示す概略図である。
【図１０】図９の案内部の拡大図である。
【符号の説明】
【００４３】
１００ 糸供給装置
１     糸（扁平糸）
１０   解舒部
１１   原糸供給体
１１ａ 原糸軸芯
１４   駆動部
１５   補助案内ローラ（補助案内部）
１６   案内ローラ（案内部）
１７ａ、１７ｂ       ガイドローラ（ガイド部）
１８ａ〜１８ｃ       副ガイドローラ（副ガイド部）
３０   貯留部
３１   ケーシング
３２ａ〜３２ｃ       センサ
３３   バッファボックス
３４   集塵部
３５   ブロワー
Ｌ０   ガイドローラの軸方向
Ｌ１〜Ｌ３    副ガイドローラの軸方向
θ     綾角度
【図１】
2008156104.tif 000003
【図２】
2008156104.tif 000004
【図３】
2008156104.tif 000005
【図４】
2008156104.tif 000006
【図５】
2008156104.tif 000007
【図６】
2008156104.tif 000008
【図７】
2008156104.tif 000009
【図８】
2008156104.tif 000010
【図９】
2008156104.tif 000011
【図１０】
2008156104.tif 000012